(57)【要約】【課題】電子マネーで商品を購入するか、ポイントで購入するかを利用者が容易に選択することができるようにした自動販売機用リーダライタを提供する。【解決手段】自動販売機用リーダライタ２２は、自動販売機に設けられ、ＩＣカード２６が有する情報を用いて決済処理を行う制御部４４を備える。利用者が操作可能な入力ボタン３６を有する。制御部４４は、入力ボタン３６への操作に基づき、電子マネーで決済するか、商品購入時に付与されるポイントで決済するかを切り換える。【選択図】図３
2017151886.tif 000002
【特許請求の範囲】
【請求項１】
自動販売機に設けられ、情報記憶媒体が有する情報を用いて決済処理を行う制御部を備えた自動販売機用リーダライタにおいて、
利用者が操作可能な選択部を有し、
前記制御部は、前記選択部への操作に基づき、電子マネーで決済するか、商品購入時に付与されるポイントで決済するかを切り換えることを特徴とする自動販売機用リーダライタ。
【請求項２】
前記制御部は、前記情報記憶媒体と関連付けられた電子マネーの情報及びポイントの情報を有する管理サーバと通信を行い、前記情報記憶媒体が有する情報を照合することにより、前記電子マネーでの決済、又は、前記ポイントでの決済を行うことを特徴とする請求項１に記載の自動販売機用リーダライタ。
【請求項３】
請求項１又は請求項２に記載の自動販売機用リーダライタを備えたことを特徴とする自動販売機。
【請求項４】
表示部と、利用者が操作可能な入力部を有する表示装置を備え、
該表示装置は、前記自動販売機用リーダライタの制御部と情報の送受信を行い、前記表示部に前記電子マネーの情報及びポイントの情報を表示すると共に、
前記自動販売機用リーダライタの制御部は、前記表示装置の入力部への操作に基づき、前記電子マネーで決済するか、前記ポイントで決済するかを切り換えることを特徴とする請求項３に記載の自動販売機。
【発明の詳細な説明】
【技術分野】
【０００１】
本発明は、情報記憶媒体が有する情報を用いて決済処理を行う自動販売機用リーダライタ、及び、それを備えた自動販売機に関するものである。
【背景技術】
【０００２】
従来、この種の自動販売機用リーダライタとして、自動販売機に設けられ、電子マネー情報が記憶されたＩＣカード（電子マネーカード）等の情報記憶媒体との間で通信を行い、電子マネーの決済処理を行うものが知られている（例えば、特許文献１参照）。
【０００３】
また、特許文献１では自動販売機の商品販売促進策として、商品購入時にその購入商品価格に応じたポイントを付与し、このポイントを使用しても商品を購入することができるようにしていた。
【先行技術文献】
【特許文献】
【０００４】
【特許文献１】特開２００８−５９５２６号公報
【発明の概要】
【発明が解決しようとする課題】
【０００５】
しかしながら、従来の自動販売機では電子マネーで商品を購入するか、ポイントで購入するかについて、利用者は選択することができず、利便性の低いものであった。
【０００６】
本発明は、係る従来の技術的課題を解決するために成されたものであり、電子マネーで商品を購入するか、ポイントで購入するかを利用者が容易に選択することができるようにした自動販売機用リーダライタ及びそれを備えた自動販売機を提供することを目的とする。
【課題を解決するための手段】
【０００７】
本発明の自動販売機用リーダライタは、自動販売機に設けられ、情報記憶媒体が有する情報を用いて決済処理を行う制御部を備えたものであって、利用者が操作可能な選択部を有し、制御部は、選択部への操作に基づき、電子マネーで決済するか、商品購入時に付与されるポイントで決済するかを切り換えることを特徴とする。
【０００８】
請求項２の発明の自動販売機用リーダライタは、上記発明において制御部は、情報記憶媒体と関連付けられた電子マネーの情報及びポイントの情報を有する管理サーバと通信を行い、情報記憶媒体が有する情報を照合することにより、電子マネーでの決済、又は、ポイントでの決済を行うことを特徴とする。
【０００９】
請求項３の発明の自動販売機は、上記各発明の自動販売機用リーダライタを備えていることを特徴とする。
【００１０】
請求項４の発明の自動販売機は、上記発明に加えて表示部と、利用者が操作可能な入力部を有する表示装置を備え、この表示装置は、自動販売機用リーダライタの制御部と情報の送受信を行い、表示部に電子マネーの情報及びポイントの情報を表示すると共に、自動販売機用リーダライタの制御部は、表示装置の入力部への操作に基づき、電子マネーで決済するか、ポイントで決済するかを切り換えることを特徴とする。
【発明の効果】
【００１１】
本発明によれば、自動販売機に設けられ、情報記憶媒体が有する情報を用いて決済処理を行う制御部を備えた自動販売機用リーダライタにおいて、利用者が操作可能な選択部を有し、制御部は、選択部への操作に基づいて、電子マネーで決済するか、商品購入時に付与されるポイントで決済するかを切り換えるようにしたので、利用者は自動販売機で商品を購入する際、電子マネーを用いて商品を購入するか、ポイントを用いて購入するかを容易に選択することができるようになる。これにより、利用者が請求項３の如き自動販売機で商品を購入する際における利便性が向上し、商品販売促進効果を著しく改善することができるようになる。
【００１２】
この場合、請求項２の発明の如く制御部が、情報記憶媒体と関連付けられた電子マネーの情報及びポイントの情報を有する管理サーバと通信を行い、情報記憶媒体が有する情報を照合することにより、電子マネーでの決済、又は、ポイントでの決済を行うようにすれば、ポイントの変換レートを管理サーバで一律に変更することができるようになる。これにより、例えば、キャンペーン等を行う際に、一々自動販売機に出向いて変換レートを変更する必要が無くなり、販売側の利便性も向上する。
【００１３】
更に、請求項４の発明の如く自動販売機に表示部と、利用者が操作可能な入力部を有する表示装置が設けられている場合に、この表示装置が、自動販売機用リーダライタの制御部と情報の送受信を行い、表示部に電子マネーの情報及びポイントの情報を表示すると共に、自動販売機用リーダライタの制御部が、表示装置の入力部への操作に基づき、電子マネーで決済するか、ポイントで決済するかを切り換えるようにすれば、利用者は表示装置に表示された電子マネーの情報及びポイントの情報を確認し、入力部で電子マネーで購入するか、ポイントで購入するかを選択することができるようになり、利便性が一段と向上するものである。
【図面の簡単な説明】
【００１４】
【図１】本発明を適用した実施例の自動販売機の正面図である。
【図２】本発明の一実施形態の自動販売機用リーダライタの斜視図である。
【図３】図２の自動販売機用リーダライタの機能ブロック図である。
【図４】図２の自動販売機用リーダライタによる決済処理のフローチャートである。
【発明を実施するための形態】
【００１５】
以下、図面に基づき本発明の一実施形態を説明する。図１は本発明を適用した実施例の自動販売機１の正面図を示している。図１に示す実施例の自動販売機１は、前面が開口した断熱性の本体２と、この本体２の前面を開閉自在に閉塞する外扉３を備えている。本体２内に図示しない商品収納庫が構成され、この商品収納庫内に販売する缶飲料、ペットボトル飲料等の商品が収納されている。また、商品収納庫の下側には図示しない機械室が構成され、この機械室内には商品収納庫内を冷却又は加温するための冷凍機が設置されている。尚、商品収納庫の前面開口はこれも図示しない断熱性の内扉で開閉自在に閉塞されている。
【００１６】
外扉３は係る内扉の前側に間隔を存して位置しており、実施例では向かって左側が本体２に回動自在に枢支されている。外扉３の前面上部には商品サンプル室４が構成されており、この商品サンプル室４内に陳列された複数の各商品サンプルに対応して複数の商品選択ボタン６が配置されている。また、商品サンプル室４の下側の外扉３前面には、広告パネル（広告表示部）５が構成されており、この広告パネル５の下側の外扉３前面下部には商品取出口７が構成されている。
【００１７】
更に、外扉３の前面の向かって右側（非枢支側）中央部には化粧パネル８が取り付けられており、この化粧パネル８内に位置して硬貨投入口９、返却レバー１１及び自動販売機表示部１２（例えば、「販売中」等の販売情報を表示する）が設けられている。また、商品取出口７の向かって右側の外扉３前面には硬貨返却口１３が構成されている。
【００１８】
更にまた、外扉３の前面の商品サンプル室４の向かって右側には、表示装置５１が取り付けられている。この表示装置５１は、自動販売機１において商品の広告動画やイメージ映像等を表示するもので、比較的大型のカラー液晶ディスプレイから成る表示部としての表示装置表示部５２と、この表示装置表示部５２の表面に設けられた入力部としてのタッチスイッチ５３（図３）と表示装置スピーカ５４(図３）を備えている。
【００１９】
また、化粧パネル８と広告パネル５の間の外扉３前面には、紙幣識別装置（ビルバリ）２４と、本発明の自動販売機用リーダライタとしての電子マネー用のリーダライタ２２が取り付けられている。
【００２０】
実施例のリーダライタ２２は、自動販売機１の商品販売に用いられる情報記憶媒体としての周知の非接触式のＩＣカード２６（図３）を検出し、このＩＣカード２６に書き込まれたＩＤ情報を所定の管理サーバ５６に照合し、このＩＤ情報と関連付けされた電子マネーの残高情報及びポイントの残高情報を当該管理サーバ５６から受信し、また、決済情報を送信することで電子マネーとポイントの決済処理や残高照会処理を行う装置である。ここで、ポイントとは商品販売促進のために商品の購入時に付与される特典であり、ポイントで決済する場合には、後述する管理サーバ５６で設定される所定の変換レートで電子マネーに変換され、リーダライタ２２で決済されるものである。
【００２１】
このリーダライタ２２は、実施例では第１の筐体３１と、第２の筐体３２と、各筐体３１、３２内にそれぞれ設けられた回路基板に接続されたワイヤーハーネス（配線）３３とから構成されている。尚、リーダライタ２２は、複数種の電子マネーの処理を行うように構成されているが、各電子マネーの処理の内容については、周知の処理内容と同様であるため説明を省略する。
【００２２】
第１の筐体３１は、自動販売機１の外扉３の前面に取り付けられて当該前面より外部に露出しており、前面には図２に示す如くＩＣカード２６の形状に合わせて形成された読取面３４と、決済処理に用いられる電子マネーサービスやポイントサービスを切り換えて選択するための選択部としての入力ボタン３６と、ＬＥＤ３７と、ＩＣカード２６に記憶された電子マネーやポイントの残高、操作案内等の文字情報を表示する表示部３８が図２に示すレイアウトで設けられている。
【００２３】
読取面３４の裏面には、ＩＣカード２６との間でデータの送受信を行うためのループ状のアンテナ４１が設けられている。そして、例えば利用者が入力ボタン３６を用いて電子マネーサービスやポイントサービスを選択した後、ＩＣカード２６を読取面３４から所定範囲（例えば、５ｃｍ）内の位置にかざした場合には（カードタッチ検知）、アンテナ４１とＩＣカード２６間の非接触通信が可能となるように構成されている。
【００２４】
一方、第２の筐体３２は、実施例では外扉３の裏面に取り付けられて自動販売機１内に位置している。そして、ワイヤーハーネス３３は外扉３に穿設された挿通孔（図示せず）を通過することで外扉３を貫通し、第１の筺体３１と第２の筺体３２とを相互に接続している。
【００２５】
次に、リーダライタ２２の制御系の構成について図３に基づき説明する。図３はリーダライタ２２の機能ブロック図である。リーダライタ２２は自動販売機１の外扉３の前面より外部に露出する第１の筐体３１内に設けられたＲＦ回路部４２と、前述したアンテナ４１と、入力ボタン３６と、ＬＥＤ３７と、表示部３８と、スピーカ４３を備えている。また、リーダライタ２２の第２の筐体３２には、制御部４４とルータ４９を備えている。
【００２６】
前記ＲＦ回路部４２は、ＩＣカード２６との非接触通信をアンテナ４１を介して行うためのものであって、周知のＡＤ／ＤＡ変換器及び整流回路等から構成されている。また、表示部３８は、前述した文字情報等を表示する小型の液晶ディスプレイである。
【００２７】
前記制御部４４は、リーダライタ２２全体の制御を司るものであり、ＣＰＵと、ＲＡＭ、ＲＯＭ等のメモリを備えている。この制御部４８は、メモリに格納されたデータ及びプログラムに基づいてリーダライタ２２の各機器を制御する。即ち、制御部４４は、ＲＦ回路部４２を用い、アンテナ４１を介してＩＣカード２６のＩＤ情報を読み取る。その際、制御部４４はメモリに記憶されている所定の鍵情報を用いて当該ＩＣカード２６のＩＤ情報を読み取り、認証する。そして、ＩＣカード２６のＩＤ情報をルータ４９により電話回線を介して管理サーバ５６に送信して照合を行う。
【００２８】
管理サーバ５６のデータベース５７にはＩＣカード２６のＩＤ情報に関連付けられた電子マネー及びポイントの残高情報が格納されており、管理サーバ５６はリーダライタ２２から送信されたＩＤ情報に関連付けられた電子マネー及びポイントの残高情報をデータベース５７から読み出してリーダライタ２２の制御部４４に送信する。そして、制御部４４は受信した残高情報を表示部３８に表示する。また、制御部４４は自動販売機１の運転を制御する自動販売機制御部５８と情報の送受信を行い、自動販売機制御部５８から商品選択ボタン６で選択された商品情報（商品価格）を受信して電子マネーやポイントでの決済処理を行う。そして、決済された商品の決済履歴の情報を自動販売機制御部５８に送信することで商品の自動販売を行わせるものである。
【００２９】
また、表示装置５１は表示装置制御部５９を備えており、この表示装置制御部５９により表示装置表示部５２及び表示装置スピーカ５４が制御される。また、タッチスイッチ５３への操作は表示装置制御部５９に入力される。リーダライタ２２の制御部４４はこの表示装置制御部５９とも通信を行い、情報の送受信を行うように構成されている。
【００３０】
即ち、リーダライタ２２の制御部４４は表示装置制御部５９に前述した残高情報を送信する。表示装置制御部５９は、受信した残高情報を文字や数字によって表示装置表示部５２に表示する（動画上に重ねて表示）。また、表示装置制御部５９はリーダライタ２２の表示部３８に表示されるのと同様の電子マネーサービスやポイントサービス（各残高）を表示装置表示部５２に表示する。そして、タッチスイッチ５３のタッチ操作により、それらの選択操作を検出し（タッチスイッチ５３が選択部となる）、選択された電子マネーサービスやポイントサービスの情報をリーダライタ２２の制御部４４に送信する。これにより、表示装置５１はリーダライタ２２の表示部３８と同様に機能することになるが、表示装置５１の表示装置表示部５２の方が大型であるので、利用者は情報をより見易くなり、入力操作も容易となる。
【００３１】
次に、図４のフローチャートを用いて商品購入時のリーダライタ２２による決済処理の例を説明する。ＩＣカード２６を用いて自動販売機１の商品を購入する場合、例えばＩＣカード２６をリーダライタ２２の読取面３４に最初にかざる場合（カードタッチ）と、最初に入力ボタン３６が操作（押下）される場合と、最初に自動販売機１の商品選択ボタン６が操作（押下）される場合の三種類の流れが考えられる。
【００３２】
利用者が最初にＩＣカード２６をリーダライタ２２の読取面３４にかざした場合（カードタッチ）、リーダライタ２２の制御部４４は、前述した如くＲＦ回路部４２を用い、アンテナ４１を介してＩＣカード２６のＩＤ情報を読み取り、認証する。そして、ＩＣカード２６のＩＤ情報をルータ４９により電話回線を介して管理サーバ５６に送信して照合する。
【００３３】
管理サーバ５６は照合されたＩＤ情報のＩＣカード２６に関連付けられた電子マネーやポイントの残高情報を制御部４４に送信する。制御部４４は管理サーバ５６から受信した当該ＩＣカード２６のポイントの残高が有るか否かをステップＳ１で判断し、有る場合にはステップＳ２でポイントを使用した決済が選択されたか否か判断する。ここで、利用者が入力ボタン３６或いは表示装置５１のタッチスイッチ５３によりポイントでの決済を選択した場合、制御部４４はステップＳ３に進み、表示部３８にポイント残高を表示する。尚、制御部４４は表示装置制御部５９にもポイントの残高情報を送信する。表示装置制御部５９は表示装置表示部５２にもポイント残高を表示する。
【００３４】
次に、制御部４４はステップＳ８に進み、商品選択ボタン６が操作（押下）されたか判断する。この情報は自動販売機制御部５８から通信により取得する。商品選択ボタン６が操作されて購入商品が選択された場合、制御部４４はステップＳ１４に進んでＩＣカード２６が再び読取面３４にかざされたか否か判断し、かざされた場合にはステップＳ１５に進む。
【００３５】
このステップＳ１５は、ポイント額と商品価格の比較である。この場合のポイント額はポイント残高を前述した変換レートで電子マネーに変換した額であり、この比較は管理サーバ５６により行われる。商品価格は制御部４４から管理サーバ５６に送信され、管理サーバ５６はポイント額と商品価格を比較し、ポイント額が商品価格より多い場合には、販売可の情報を制御部４４に送信し、ポイント額が商品価格に満たない場合には販売不可の情報を制御部４４に送信する。従って、ステップＳ１５は制御部４４が管理サーバ５６からこの販売可の情報を受信したか、販売不可の情報を受信したかの判断となる。
【００３６】
そして、ステップＳ１５でポイント額が商品価格より多い場合、制御部４４は管理サーバ５６からの販売可の情報を受けてステップＳ９に進み、ポイントでの決済処理を行う。そして、決済された商品の決済履歴の情報を自動販売機制御部５８に送信することで商品の自動販売を行わせ、管理サーバ５６にも送信することで、データベース５７のポイントの残高情報を更新させる。
【００３７】
尚、ステップＳ１５でポイント額が商品価格に満たない場合、制御部４４はステップＳ１６に進んでポイントでの決済不可を表示部３８に表示し（表示装置表示部５２にも表示）、電子マネーを使用することを利用者が選択したかを判断する。入力ボタン３６により電子マネーが選択された場合にはステップＳ１７に進み、電子マネーでの決済処理を行う。そして、決済された商品の決済履歴の情報を自動販売機制御部５８に送信することで商品の自動販売を行わせ、管理サーバ５６にも送信することで、データベース５７の電子マネーの残高情報を更新させる。
【００３８】
また、ステップＳ１で当該ＩＣカード２６のポイント残高が無い場合、制御部４４はステップＳ４に進む。以後は前述同様に商品選択ボタン６が操作（押下）、カードタッチの検出（ステップＳ５）後、ステップＳ６で電子マネーでの決済処理を行う。
【００３９】
一方、最初に入力ボタン３６が操作（押下）され、ステップＳ７でポイントを使用した決済が選択された場合、制御部４４はステップＳ８に進む。以後は前述同様にポイント額に応じて、商品価格を満足する場合にはポイントでの決済処理を行い（ステップＳ９）、満たない場合には電子マネーでの決済処理を行う（ステップＳ１７）。
【００４０】
他方、最初に商品選択ボタン６が操作（押下）され、ステップＳ１０でＩＤカード２６のカードタッチを検出した場合、制御部４４は前述同様にＩＣカード２６のＩＤ情報をルータ４９により電話回線を介して管理サーバ５６に送信して照合する。
【００４１】
管理サーバ５６は照合されたＩＤ情報のＩＣカード２６に関連付けられた電子マネーやポイントの残高情報を制御部４４に送信する。制御部４４は管理サーバ５６から受信した当該ＩＣカード２６のポイントの残高が有るか否かをステップＳ１１で判断し、有る場合にはステップＳ１２でポイントを使用した決済が選択されたか否か判断する。ここで、利用者が入力ボタン３６やタッチスイッチ５３によりポイントでの決済を選択した場合、制御部４４はステップＳ１３に進み、表示部３８にポイント残高を表示する。尚、制御部４４は表示装置制御部５９にもポイントの残高情報を送信する。表示装置制御部５９は表示装置表示部５２にもポイント残高を表示する。
【００４２】
次に、制御部４４はステップＳ１４に進んでＩＣカード２６が再び読取面３４にかざされたか否か判断し、かざされた場合にはステップＳ１５に進む。そして、前述同様に管理サーバ５６から販売可の情報を受信したか否か判断し、ポイント額が商品価格より多い場合、制御部４４はステップＳ９に進み、ポイントでの決済処理を行う。そして、決済された商品の決済履歴の情報を自動販売機制御部５８に送信することで商品の自動販売を行わせ、管理サーバ５６にも送信することで、データベース５７のポイントの残高情報を更新させる。
【００４３】
また、ステップＳ１５でポイント額が商品価格に満たない場合、制御部４４はステップＳ１６に進んでポイントでの決済不可を表示部３８に表示し（表示装置表示部５２にも表示）、電子マネーを使用することを利用者が選択したかを判断する。入力ボタン３６により電子マネーが選択された場合にはステップＳ１７に進み、電子マネーでの決済処理を行う。そして、決済された商品の決済履歴の情報を自動販売機制御部５８に送信することで商品の自動販売を行わせ、管理サーバ５６にも送信することで、データベース５７の電子マネーの残高情報を更新させる。
【００４４】
尚、ステップＳ１１で当該ＩＣカード２６のポイント残高が無い場合や、ステップＳ１２でポイントの使用が選択されなかった場合、制御部４４はステップＳ１７に進み、前述同様に電子マネーでの決済処理を行うものである。
【００４５】
以上詳述した如く利用者が操作可能な入力ボタン３６（選択部）をリーダライタ２２に設け、制御部４４が入力ボタン３６への押下操作に基づいて、電子マネーで決済するか、商品購入時に付与されるポイントで決済するかを切り換えるようにしたので、利用者は自動販売機１で商品を購入する際、電子マネーを用いて商品を購入するか、ポイントを用いて購入するかを容易に選択することができるようになる。これにより、利用者が自動販売機１で商品を購入する際における利便性が向上し、商品販売促進効果を著しく改善することができるようになる。
【００４６】
特に実施例の場合、リーダライタ２２の制御部４４は、ＩＣカード２６と関連付けられた電子マネーの情報及びポイントの情報を有する管理サーバ５６と通信を行い、ＩＣカード２６が有するＩＤ情報を照合することにより、電子マネーでの決済、又は、ポイントでの決済を行うようにしているので、ポイントの変換レートを管理サーバ５６で一律に変更することができるようになる。これにより、例えば、キャンペーン等を行う際に、一々自動販売機１に出向いて変換レートを変更する必要が無くなり、販売側の利便性も向上する。
【００４７】
また、実施例の如く自動販売機１に表示装置表示部５２と、利用者が操作可能なタッチスイッチ５３（入力部）を有する表示装置５１が設けられている場合に、この表示装置５１が、リーダライタ２２の制御部４４と情報の送受信を行い、表示装置表示部５２に電子マネーの情報及びポイントの情報を表示すると共に、リーダライタ２２の制御部４４が、表示装置５１のタッチスイッチ５３への操作に基づき、電子マネーで決済するか、ポイントで決済するかを切り換えるようにしているので、利用者は表示装置５１に表示された電子マネーの情報及びポイントの情報を確認し、タッチスイッチ５３で電子マネーで購入するか、ポイントで購入するかを選択することができるようになり、利便性が一段と向上する。
【００４８】
尚、実施例では情報記憶媒体としてＩＣカード２６を例に挙げて説明したが、それに限らず、リーダライタ２２と非接触の無線通信が可能な携帯電話やスマートフォン等の携帯端末機器であっても良いことは云うまでもない。
【００４９】
また、実施例では管理サーバ５６のデータベース５７にＩＣカード２６の関連付けされた電子マネーの情報及びポイントの情報（残高情報）を格納し、販売可否の判断を管理サーバ５６が行うようにしたが、請求項１の発明ではそれに限らず、ＩＣカード２６に電子マネー及びポイントの残高情報を書き込んでおき、リーダライタ２２が販売可否の判断を行うようにしてもよい。
【符号の説明】
【００５０】
１  自動販売機
２２  リーダライタ（自動販売機用リーダライタ）
２６  ＩＣカード（情報記憶媒体）
３６  入力ボタン(選択部）
４４  制御部
４９  ルータ
５１  表示装置
５２  表示装置表示部（表示部）
５３  タッチスイッチ（入力部）
５６  管理サーバ
５８  自動販売機制御部
【図１】
2017151886.tif 000003
【図２】
2017151886.tif 000004
【図３】
2017151886.tif 000005
【図４】
2017151886.tif 000006